(57)【要約】【課題】清掃性や見栄えを向上し得る縦板下端固定構造を提供する。【解決手段】収納空間を区画し、上下に延びるように配設される縦板２０の下端を床２に固定する縦板下端固定構造１であって、前記縦板の下端に、下方側及び厚さ方向一方側に向けて開口する切欠状収容部２１と、この切欠状収容部の下方側開口から収容され、前記一方側に露出するように設けられた固定部１２を有した下端固定部材１０と、を設け、これら切欠状収容部と下端固定部材とは、該切欠状収容部に該下端固定部材を収容させた状態で、該下端固定部材の前記縦板の板厚方向に沿う移動を防止するような形状とされており、前記切欠状収容部に収容された前記下端固定部材の前記固定部を前記床に固定して前記縦板の下端を固定する構造とされている。【選択図】図１
2014031666.tif 000002
【特許請求の範囲】
【請求項１】
収納空間を区画し、上下に延びるように配設される縦板の下端を床に固定する縦板下端固定構造であって、
前記縦板の下端に、下方側及び厚さ方向一方側に向けて開口する切欠状収容部と、この切欠状収容部の下方側開口から収容され、前記一方側に露出するように設けられた固定部を有した下端固定部材と、を設け、これら切欠状収容部と下端固定部材とは、該切欠状収容部に該下端固定部材を収容させた状態で、該下端固定部材の前記縦板の板厚方向に沿う移動を防止するような形状とされており、前記切欠状収容部に収容された前記下端固定部材の前記固定部を前記床に固定して前記縦板の下端を固定する構造とされていることを特徴とする縦板下端固定構造。
【請求項２】
請求項１において、
前記切欠状収容部及び前記下端固定部材は、それぞれ横断面視して、前記一方側を小さい底辺とした略台形状とされていることを特徴とする縦板下端固定構造。
【請求項３】
請求項１または２において、
前記下端固定部材に、前記一方側において開口する凹所を設け、この凹所の前記固定部としての床側底面部に止具挿通孔を設け、該止具挿通孔を介して挿通された止具によって前記下端固定部材を前記床に固定する構造とし、前記凹所の開口を覆うカバーを設けたことを特徴とする縦板下端固定構造。
【発明の詳細な説明】
【技術分野】
【０００１】
本発明は、上下に延びるように配設される縦板の下端を固定する構造に関する。
【背景技術】
【０００２】
従来より、収納棚等の収納家具を構成する上下に延びる左右の側板や、住居等の建物内のクローゼット等の収納空間の奥側壁等に沿うように上下に延びるように配設された縦仕切板等の縦板の下端を床等に固定する構造が知られている。
例えば、下記特許文献１では、複数の側板、天板、棚板を備えた壁面収納庫が開示されており、各側板の下端をＬ字形ブラケットで床面に固定した構造とされている。このＬ字形ブラケットは、互いに直交する二つの片部を有した略Ｌ字形状とされており、これら両片部のうちの一方が側板の側面に、他方が床に固定される構造とされている。
【先行技術文献】
【特許文献】
【０００３】
【特許文献１】特開２００７−６１２４３号公報
【発明の概要】
【発明が解決しようとする課題】
【０００４】
しかしながら、上記のようなＬ字形ブラケットを用いて側板の下端を固定する構造とした場合には、床側に固定された片部が床上に露出し、見栄えが損なわれたり、清掃等の際に邪魔になったりすることが考えられ、更なる改善が望まれていた。
【０００５】
本発明は、上記実情に鑑みてなされたものであり、清掃性や見栄えを向上し得る縦板下端固定構造を提供することを目的とする。
【課題を解決するための手段】
【０００６】
上記目的を達成するために、本発明に係る縦板下端固定構造は、収納空間を区画し、上下に延びるように配設される縦板の下端を床に固定する縦板下端固定構造であって、前記縦板の下端に、下方側及び厚さ方向一方側に向けて開口する切欠状収容部と、この切欠状収容部の下方側開口から収容され、前記一方側に露出するように設けられた固定部を有した下端固定部材と、を設け、これら切欠状収容部と下端固定部材とは、該切欠状収容部に該下端固定部材を収容させた状態で、該下端固定部材の前記縦板の板厚方向に沿う移動を防止するような形状とされており、前記切欠状収容部に収容された前記下端固定部材の前記固定部を前記床に固定して前記縦板の下端を固定する構造とされていることを特徴とする。
【０００７】
本発明においては、前記切欠状収容部及び前記下端固定部材は、それぞれ横断面視して、前記一方側を小さい底辺とした略台形状とされていてもよい。
また、本発明においては、前記下端固定部材に、前記一方側において開口する凹所を設け、この凹所の前記固定部としての床側底面部に止具挿通孔を設け、該止具挿通孔を介して挿通された止具によって前記下端固定部材を前記床に固定する構造とし、前記凹所の開口を覆うカバーを設けてもよい。
【発明の効果】
【０００８】
本発明に係る縦板下端固定構造は、上述のような構成としたことで、清掃性や見栄えを向上させることができる。
【図面の簡単な説明】
【０００９】
【図１】（ａ）、（ｂ）は、いずれも本発明の一実施形態に係る縦板下端固定構造の一例を模式的に示し、（ａ）は、図３のＸ−Ｘ線矢視に対応させた一部破断概略横断面図、（ｂ）は、（ａ）に対応させた一部破断概略分解横断面図である。
【図２】同縦板下端固定構造に用いられる縦板及び下端固定部材の一例を模式的に示す概略分解斜視図である。
【図３】同縦板下端固定構造を用いた収納装置の一例を模式的に示す一部破断概略正面図である。
【図４】図３のＹ−Ｙ線矢視に対応させた一部破断概略横断面図である。
【発明を実施するための形態】
【００１０】
以下に本発明の実施の形態について、図面に基づいて説明する。
以下の実施形態では、縦板下端固定構造を用いて床に固定された収納装置の開口側を前方側、その逆側を後方側として説明し、また、床に固定された状態を基準として上下方向等の方向を説明する。
【００１１】
図１〜図４は、本実施形態に係る縦板下端固定構造の一例及びこの縦板下端固定構造を用いて床に固定された収納装置の一例を模式的に示す図である。
本実施形態に係る縦板下端固定構造１は、図２及び図３に示すように、収納空間を区画し、上下に延びるように配設される縦板２０の下端を床２に固定する構造とされている。
【００１２】
本実施形態では、図３に示すように、縦板下端固定構造１を用いて床２に固定される縦板２０，２０を、収納装置７を構成する上下に延びる左右の側板２０，２０としている。
収納装置７は、図３に示すように、これら左右の側板２０，２０によって収納空間を区画している。本実施形態では、この収納装置７の収納空間の天面を、天井３で区画し、その底面を、床２で区画した例を示している。また、本実施形態では、収納装置７を、壁４に沿わせて設置される壁付収納装置としている。また、本実施形態では、図４に示すように、この収納装置７の収納空間の奥側面を、壁４で区画している。
【００１３】
また、本実施形態では、図２及び図３に示すように、収納装置７の左右の側板２０，２０間に、棚板６を架け渡すように設けている。また、本実施形態では、上下に間隔を空けて複数枚の棚板６（図例では、五枚）を設けた例を示している。また、本実施形態では、これら棚板６のうちの少なくとも一枚の棚板６を、左右の側板２０，２０に対して固定された固定棚とし、かつ、当該収納装置７の固定対象となる壁４へ固定される固定片を有したものとしている。図例では、複数枚の棚板６のうちの上端側及び下端側にそれぞれ配された棚板６，６を、固定片を有した固定棚とし、これらの固定片を壁４に固定することで、当該収納装置７（左右の側板２０，２０）の上方側部位等を、固定対象としての壁４に固定した例を示している。
【００１４】
また、本実施形態では、図３に示すように、収納装置７を、その左右の側板２０，２０の上端面を天井３に当接させ、左右の側板２０，２０の下端面２０ｃを床２に当接させて設置した例を示している。
なお、図例では、天板や底板を設けていない収納装置７を例示しているが、天井３に当接または近接させるように天板を設けたり、底板を設けたりするようにしてもよい。底板を設ける場合には、後記する下端固定部材１０と干渉しないように、床２との間に空隙を設けるような態様としてもよい。また、本実施形態では、収納空間の奥側面を壁４とした収納装置７を例示しているが、背板を設けるようにしてもよい。
【００１５】
左右の側板２０，２０は、概ね同様の構成とされており、上下方向に長尺な略矩形平板状とされている。
これら左右の側板２０，２０には、図２に示すように、互いに対向する内側面２０ａ，２０ａに、互いに対向する方向に向けて開口するダボ穴がそれぞれに形成されている（図２では、一方側の側板２０のみを示しているが、他方側の側板２０も概ね同様である）。これらダボ穴は、左右の側板２０，２０間に架け渡される棚板６の上下方向の配設位置を変更可能とするために、上下方向に適宜の間隔を空けて複数形成されている。これら左右の側板２０，２０に設けられたダボ穴に挿入された棚受ダボに、上記した固定棚以外の棚板６の下面側等に設けられた係合凹所が係合し、これら棚板６が左右の側板２０，２０間に上下方向の配設位置の変更が可能なように保持される。
【００１６】
これら左右の側板２０，２０や棚板６は、木質系材料を板状に加工した基材に、適宜、合成樹脂シートや突板等の表面化粧シートを貼着した構成としてもよい。上記木質系材料としては、合板やＬＶＬ（単板積層材）等の木製積層板、パーティクルボード等の木質ボード、または、インシュレーションボードやＭＤＦ（中密度繊維板）等の木質繊維板等が挙げられる。また、上記基材としては、上記木質系材料に、木粉や無機フィラー、相容化剤、着色剤等を所定の含有量で含有させた木粉、フラスティック複合材（ＷＰＣ）や、合成樹脂系材料からなるものとしてもよい。
また、これら左右の側板２０，２０の板厚寸法は、例えば、１０ｍｍ〜３０ｍｍ程度としてもよく、また、側板２０，２０の板幅寸法（収納装置７の奥行方向に沿う寸法）は、例えば、１５０ｍｍ〜５００ｍｍ程度としてもよい。
【００１７】
これら左右の側板２０，２０は、本実施形態に係る縦板下端固定構造１によって、その下端が床２に固定されている。
本実施形態に係る縦板下端固定構造１は、図１及び図２に示すように、これら左右の側板２０，２０の下端に、下方側及び厚さ方向一方側に向けて開口する切欠状収容部２１，２１と、この切欠状収容部２１，２１に収容された下端固定部材１０，１０と、をそれぞれ設けた構造とされている。また、これら切欠状収容部２１，２１と下端固定部材１０，１０とは、切欠状収容部２１，２１に下端固定部材１０，１０を収容させた状態で、それぞれの下端固定部材１０，１０の側板２０，２０の板厚方向に沿う移動を防止するような形状とされている。
【００１８】
また、本実施形態では、図１及び図４に示すように、左右の側板２０，２０の下端のそれぞれに、板幅方向に間隔を空けて複数箇所（本実施形態では、二箇所）に切欠状収容部２１，２１，２１，２１を設けた構造としている。また、これら切欠状収容部２１，２１，２１，２１のそれぞれに下端固定部材１０，１０，１０，１０を収容させた構造としている。本実施形態では、下端固定部材１０，１０，１０，１０を収容させた切欠状収容部２１，２１，２１，２１を、各側板２０，２０の下端の前端近傍部位及び後端近傍部位のそれぞれに設けた構造としている。
また、これら左右の側板２０，２０のそれぞれの前端側及び後端側の切欠状収容部２１，２１，２１，２１のうちの一方を、各側板２０，２０の厚さ方向一方側に向けて開口するように設け、他方を、各側板２０，２０の厚さ方向他方側に向けて開口するように設けている。つまり、本実施形態では、各側板２０，２０に、厚さ方向一方側に向けて開口する切欠状収容部２１，２１に加え、厚さ方向他方側に向けて開口する切欠状収容部２１，２１を更に設けた構造としている。
【００１９】
本実施形態では、図４に示すように、各側板２０，２０の下端の前端側の切欠状収容部２１，２１を、これら左右の側板２０，２０の厚さ方向一方側面としての内側面２０ａ，２０ａにおいて開口するように設けている。また、各側板２０，２０の下端の後端側の切欠状収容部２１，２１を、これら左右の側板２０，２０の厚さ方向他方側面としての外側面（収納装置７の収納間口方向外方側に向く面）２０ｂ，２０ｂにおいて開口するように設けている。
これら左右の側板２０，２０に設けられた切欠状収容部２１，２１，２１，２１及びこれら切欠状収容部２１，２１，２１，２１に収容された下端固定部材１０，１０，１０，１０は、それぞれ互いに概ね同様の構成とされている。そのため、以下では、図示右方側の側板２０の前端側の切欠状収容部２１及び下端固定部材１０を例にとって説明するが、後端側の切欠状収容部２１及び下端固定部材１０については、厚さ方向一方側を厚さ方向他方側とし、内側面２０ａを外側面２０ｂとして把握するようにすればよい。
【００２０】
切欠状収容部２１は、図１及び図２に示すように、側板２０の下端に、下端面２０ｃ及び内側面２０ａにおいて開口するように設けられている。つまり、この切欠状収容部２１は、側板２０の下端を、厚さ方向及び上下方向に切り欠くように形成されている。
また、本実施形態では、図１に示すように、切欠状収容部２１を、横断面視して（側板２０を下方側から見て）、厚さ方向一方側（側板２０の内側面２０ａ側）を小さい底辺とした略台形状としている。つまり、切欠状収容部２１は、横断面視して、内側面２０ａ側の開口の板幅方向に沿う寸法を、側板２０の板厚方向内方側の板厚方向外方側に向くように設けられた底面部２１ａの板幅方向に沿う寸法よりも小とした略台形状とされている。
【００２１】
また、図例では、切欠状収容部２１を、図２に示すように、側板２０の板厚方向に見て、略釣鐘形状（略下向きＵ字状）としている。つまり、切欠状収容部２１の内側面２０ａ側の開口周縁を、側板２０の板厚方向に見て、略釣鐘形状（略下向きＵ字状）としている。また、切欠状収容部２１の内側面２０ａ側の開口は、該開口の幅方向（板幅方向に沿う方向）中心線を対称軸として線対称状とされている。
【００２２】
この切欠状収容部２１は、図１及び図２に示すように、側板２０の板厚方向内方側において板厚方向外方側に向くように設けられた底面部２１ａと、この底面部２１ａの外周縁から側板２０の内側面２０ａ側の開口周縁へ連なるように設けられた係合壁部と、によって区画形成されている。
底面部２１ａは、内側面２０ａ側の開口形状と略相似形状とされており、側板２０の板厚方向に見て、内側面２０ａ側の開口周縁よりも大きい略釣鐘形状（下向き略Ｕ字状）とされている。また、底面部２１ａは、その幅方向（板幅方向に沿う方向）中心線が、内側面２０ａ側の開口の幅方向中心線に互いの幅方向で略一致するように設けられている。
【００２３】
係合壁部は、底面部２１ａの幅方向両側縁からそれぞれ側板２０の内側面２０ａ側の開口の幅方向両側縁へ連なるように設けられた両側内壁部２１ｂ，２１ｂと、これら両側内壁部２１ｂ，２１ｂの上方側に設けられた天壁部と、を有している。
両側内壁部２１ｂ，２１ｂは、側板２０の板厚方向内方側から外方側に向かうに従い先細り状のテーパー面とされている。
天壁部は、これら両側内壁部２１ｂ，２１ｂに連なるように設けられ、側板２０の板厚方向内方側から外方側に向かうに従い先細り状の半円錐台形状のような面とされている。
【００２４】
なお、切欠状収容部２１の側板２０の板厚方向に沿う深さ寸法は、余りにも深くすれば、側板２０の下端に割れ等が生じる傾向があり、余りにも浅くすれば、下端固定部材１０の保持強度が弱くなる傾向があるため、側板２０の板厚等にもよるが、側板２０の板厚の１／４〜３／４程度の深さ寸法としてもよい。図例では、上記深さ寸法を、側板２０の厚さ寸法の１／３程度とした例を示している。
また、この切欠状収容部２１は、ルーター等の適宜の切削工具等により側板２０に形成するようにしてもよい。例えば、外殻形状が先側に向かうに従い拡開状の円錐台形状の回転切削刃等によって形成するようにしてもよい。
【００２５】
下端固定部材１０は、図１及び図２に示すように、切欠状収容部２１に、その下方側開口から収容される構造とされている。また、下端固定部材１０は、厚さ方向一方側（側板２０の内側面２０ａ側）に露出するように設けられた固定部１２を有している。本実施形態では、下端固定部材１０は、側板２０の内側面２０ａに露出するように設けられた固定部１２を有している。この固定部１２を床２に固定して側板２０の下端を固定する構造とされている。
この下端固定部材１０は、切欠状収容部２１に応じた形状とされており、本実施形態では、下端固定部材１０を、横断面視して、厚さ方向一方側（側板２０の内側面２０ａ側）を小さい底辺とした略台形状としている。つまり、下端固定部材１０は、切欠状収容部２１に収容された状態における、切欠状収容部２１の内側面２０ａ側の開口側に位置する外面部１０ｃの幅寸法（側板２０の板幅方向に沿う寸法）を、切欠状収容部２１の底面部２１ａ側に位置する内面部１０ａの幅寸法（側板２０の板幅方向に沿う寸法）よりも小とした略台形状とされている。
【００２６】
この下端固定部材１０は、その外郭形状が、切欠状収容部２１に応じた形状の略ブロック体状とされており、切欠状収容部２１に嵌め込まれるように収容される。つまり、側板２０の板厚方向に見て、略釣鐘形状（下向き略Ｕ字状）とされており、切欠状収容部２１に収容された状態で、切欠状収容部２１の底面部２１ａに当接される内面部１０ａと、切欠状収容部２１の係合壁部の両側内壁部２１ｂ，２１ｂにそれぞれ当接される被係合面部としての両側面部１０ｂ，１０ｂと、を備えた構造とされている。また、下端固定部材１０は、切欠状収容部２１に収容された状態で、切欠状収容部２１の係合壁部の天壁部に当接される被係合面部としての天面部と、床２に当接される底面部と、を備えた構造とされている。また、この下端固定部材１０は、切欠状収容部２１に収容された状態で、当該下端固定部材１０の底面部と側板２０の下端面２０ｃとが略面一状となる構造とされている。
また、本実施形態では、下端固定部材１０は、切欠状収容部２１に収容された状態で、その外面部１０ｃと側板２０の内側面２０ａとが略面一状となるような構造とした例を示している。
【００２７】
下端固定部材１０及び切欠状収容部２１を上記のような構成とすることで、切欠状収容部２１に収容された下端固定部材１０の縦板２０の板幅方向及び板厚方向への移動が防止される。つまり、下端固定部材１０の両側面部１０ｂ，１０ｂが切欠状収容部２１の両側内壁部２１ｂ，２１ｂにそれぞれ当接して規制され、下端固定部材１０の縦板２０の板幅方向への移動が防止される。また、下端固定部材１０の内面部１０ａが、切欠状収容部２１の底面部２１ａに当接して規制され、下端固定部材１０の被係合面部としての両側面部１０ｂ，１０ｂ及び天面部が切欠状収容部２１の係合壁部としての両側内壁部２１ｂ，２１ｂ及び天壁部にそれぞれ当接して規制され、下端固定部材１０の縦板２０の板厚方向への移動が防止される。
また、下端固定部材１０を切欠状収容部２１に収容させ、側板２０の下端面２０ｃを床２に当接させた状態では、下端固定部材１０の天面部が切欠状収容部２１の天壁部に当接して規制され、下端固定部材１０の底面部が床２に当接して規制され、下端固定部材１０の側板２０の上下方向への移動が防止される。
なお、下端固定部材１０は、その外郭寸法を、切欠状収容部２１に収容させた状態で、互いの面接触による摩擦等によって切欠状収容部２１から容易には脱落しないよう、切欠状収容部２１と略同寸法としてもよく、または、僅かに大きい寸法とし、切欠状収容部２１に圧入させるように収容されるものとしてもよい。
【００２８】
また、本実施形態では、図２に示すように、下端固定部材１０に、厚さ方向一方側（側板２０の内側面２０ａ側）において開口する凹所１１を設けている。
この凹所１１は、下端固定部材１０の外面部１０ｃの略中央部に開口するように設けられている。また、図例では、この凹所１１を、内面部１０ａにも開口するように、下端固定部材１０を板厚方向に貫通するように設けた例を示している（図１も参照）。
本実施形態では、この凹所１１の床側底面部１２を、上記した固定部１２としている。
この床側底面部１２は、上方側に向く上面が、下端固定部材１０の内面部１０ａ側から外面部１０ｃ側（凹所１１の開口側）へ向かうに従い下降する傾斜面とされている。この床側底面部１２は、その上面から当該下端固定部材１０の底面部に至るまで中実状に形成されたものとしてもよく、または、少なくとも上面部を形成するように切り起こし状に形成されたものとしてもよい。
【００２９】
また、本実施形態では、この凹所１１の固定部１２としての床側底面部１２に止具挿通孔１３を設けている。この止具挿通孔１３を介して挿通された止具５によって下端固定部材１０が床２に固定される構造とされている。
止具挿通孔１３は、床側底面部１２の上面と床２側の底面とを連通させるように床側底面部１２に貫通するように設けられている。また、本実施形態では、この止具挿通孔１３の貫通方向を、図２及び図３に示すように、止具５の斜め打ちをガイドするような床側底面部１２の上記傾斜面とされた上面に対して略直交方向としている。このような構成とすることで、止具５を、凹所１１の開口から止具挿通孔１３にねじ込み（または、打ち込み）易くなる。
【００３０】
また、本実施形態では、図１及び図２に示すように、下端固定構造１は、下端固定部材１０の凹所１１の開口を覆うカバー１４を設けている。
カバー１４は、下端固定部材１０の外面部１０ｃに固定される。このカバー１４は、薄平板状とされており、図例では、下端固定部材１０の外面部１０ｃと略同寸同径状とした例を示している。
このカバー１４は、接着剤等によって下端固定部材１０の外面部１０ｃに固定するようにしてもよい。または、下端固定部材１０の凹所１１の適所等に被係止部を設け、この被係止部に係止する係止部をカバー１４に設け、これらを互いに係止させてカバー１４を下端固定部材１０の外面部１０ｃに固定するようにしてもよい。
なお、本実施形態では、上記のように下端固定部材１０を切欠状収容部２１に収容させた状態で、下端固定部材１０の外面部１０ｃが側板２０の内側面２０ａと略面一状となるものとしているため、カバー１４が側板２０の内側面２０ａから突出するように固定されたものとしているが、このような態様に限られない。例えば、カバー１４の厚さ寸法に応じて下端固定部材１０の外面部１０ｃを切欠状収容部２１内に位置させ、カバー１４の外表面と側板２０の内側面２０ａとが略面一状となる構成としてもよい。
なお、上記した下端固定部材１０及びカバー１４は、金属系材料や合成樹脂系材料等から形成したものとしてもよい。
【００３１】
次に、当該縦板下端固定構造１を用いた側板（縦板）２０の下端を床２に固定する手順の一例について簡単に説明する。
まず、側板２０の切欠状収容部２１に下端固定部材１０を収容させる。この状態で、側板２０を所定位置に位置付ける。この際、必要に応じて、上記のように、側板２０の上方側部位を固定対象に対して固定するようにしてもよい。
次いで、下端固定部材１０の凹所１１の開口を介して止具５を止具挿通孔１３に挿通させ、下端固定部材１０の床側底面部１２を床２に固定する。これにより、下端固定部材１０が床２に固定され、これにより、側板２０の下端が床２に固定される。
【００３２】
本実施形態に係る縦板下端固定構造１は、上述のような構成としたことで、清掃性や見栄えを向上させることができる。つまり、当該縦板下端固定構造は、縦板（側板）２０の下端を固定する下端固定部材１０を、側板２０の下端に設けられた切欠状収容部２１に収容させた構造としている。従って、例えば、Ｌ字形ブラケットを用いて側板２０の下端を固定する構造とした場合と比べて、清掃性や見栄えを向上させることができる。
また、切欠状収容部２１と下端固定部材１０とを、切欠状収容部２１に下端固定部材１０を収容させた状態で、下端固定部材１０の側板２０の板厚方向に沿う移動を防止するような形状としている。従って、下端固定部材１０を切欠状収容部２１に収容させ、下端固定部材１０を床２に固定した状態では、床２に固定された下端固定部材１０に対して、側板２０の板幅方向に沿う移動及び板厚方向に沿う移動を防止することができる。
また、下端固定部材１０に厚さ方向一方側に露出するように固定部１２を設けている。従って、上記したように、切欠状収容部２１に下端固定部材１０を収容させ、その状態で側板２０を所望の設置位置に位置付け、側板２０の一方側からねじ等の止具５等によって下端固定部材１０を床２へ固定することができ、縦板２０の下端を容易に床２に固定することができる。つまり、例えば、側板の下端に下方側に開口する凹所を形成し、この凹所に床２に固定した固定部材等を嵌め込んで、側板の下端を床２に固定する態様とすることも考えられる。しかしながら、この場合には、比較的に上下に長尺状とされる側板を、上方に移動させて、側板の下端の凹所に固定部材等を嵌め込む作業が面倒となることが考えられる。また、例えば、縦板の上端部が収納空間を区画する天面等に干渉する場合には、側板を上方に移動させることが困難になることも考えられる。本実施形態では、下端固定部材１０に厚さ方向一方側に露出するように固定部１２を設けているので、見栄えを向上させながらも、上記のように容易に側板２０を床２に固定させることができる。
【００３３】
また、本実施形態では、切欠状収容部２１及び下端固定部材１０を、それぞれ横断面視して、厚さ方向一方側を小さい底辺とした略台形状としている。従って、略台形状とされた下端固定部材１０の両側面部１０ｂ，１０ｂが、略台形状とされた切欠状収容部２１の両側内壁部２１ｂ，２１ｂに引っ掛かり、床２に固定された下端固定部材１０に対する側板２０の板厚方向への移動を防止することができる。また、例えば、下端固定部材１０を横断面視して略凸字形状とし、切欠状収容部２１をこの下端固定部材１０の形状に応じた形状とした場合と比べて、切欠状収容部２１の加工性を向上させることができる。
また、本実施形態では、切欠状収容部２１の天壁部と下端固定部材１０の天面部との面接触によっても下端固定部材１０に対する側板２０の板厚方向への移動を防止することができ、側板２０の板厚方向への移動をより強固に防止することができる。
【００３４】
また、本実施形態では、下端固定部材１０に、その厚さ方向一方側において開口する凹所１１を設け、この凹所１１の床側底面部１２に設けられた止具挿通孔１３を介して挿通された止具５によって当該下端固定部材１０を床２に固定する構造としている。従って、例えば、下端固定部材１０にこのような凹所１１を設けずに、下端固定部材１０に止具５を捻じ込んで（打ち込んで）固定することも考えられるが、上記構成によれば、止具５の頭部を下端固定部材１０の凹所１１に収容することができる。
また、下端固定部材１０の凹所１１の床側底面部１２に止具５を捻じ込んで（打ち込んで）、床２に固定することができるので、例えば、側板２０の厚さ方向一方側面と略平行とされた固定部１２に対して止具５を捻じ込む（打ち込む）態様とした場合と比べて、安定的に止具５を固定部（床側底面部）１２に捻じ込む（打ち込む）ことができる。
また、下端固定部材１０の凹所１１の開口を覆うカバー１４を設けているので、凹所１１にゴミや塵埃等が堆積することが抑制でき、また、見栄えを向上させることができる。
【００３５】
また、本実施形態では、側板２０に複数の切欠状収容部２１，２１を設け、これらそれぞれの切欠状収容部２１，２１に収容された下端固定部材１０，１０によって、側板２０の下端を固定する構造としている。従って、例えば、側板２０に単一の切欠状収容部２１を設け、この切欠状収容部２１に収容された下端固定部材１０によって側板２０の下端を固定する場合と比べて、より強固に側板２０の下端を床に固定することができる。
また、本実施形態では、二つの切欠状収容部２１，２１のうちの一方を、側板２０の厚さ方向一方側に開口するように設け、他方を、側板２０の厚さ方向他方側に開口するように設けている。従って、例えば、これら二つの切欠状収容部２１，２１の両方を、側板２０の厚さ方一方側に開口するように設けた場合と比べて、より強固に側板２０の下端を床２に固定することができる。
また、本実施形態では、側板２０の前端側の切欠状収容部２１を、側板２０の内側面２０ａに開口するように設け、側板２０の後端側の切欠状収容部２１を、側板２０の外側面２０ｂに開口するように設けている。従って、例えば、側板２０の前端側の切欠状収容部２１を、側板２０の外側面２０ｂに設けた場合と比べると、比較的に見栄えを向上させることができる。
【００３６】
なお、本実施形態では、側板２０に設けた二つの切欠状収容部２１，２１のうちの一方を、側板２０の厚さ方向一方側に開口するように設け、他方を、側板２０の厚さ方向他方側に開口するように設けた例を示しているが、この態様に限定されない。例えば、これら二つの切欠状収容部２１，２１の両方を、側板２０の厚さ方向一方側（または厚さ方向他方側）に設けるようにしてもよい。
また、本実施形態では、側板２０に設けた二つの切欠状収容部２１，２１を、それぞれ前端側及び後端側に互いに間隔を空けて設けた例を示しているが、この態様に限定されない、例えば、これら切欠状収容部２１，２１を、側板２０の板幅方向中間部に設けたり、一方を側板２０の板幅方向中間部に設け、他方を側板２０の前端側または後端側に設けるようにしてもよい。
さらには、このように、側板２０に複数の切欠状収容部２１，２１を設けた態様に代えて、単一の切欠状収容部２１を設けた態様としてもよい。
【００３７】
また、本実施形態では、下端固定部材１０に、一方側において開口する凹所１１と、この凹所１１の開口を覆うカバー１４を設けた例を示しているが、この態様に限定されず、このような凹所１１及びカバー１４を設けない態様としてもよい。この場合は、下端固定部材１０の外面部１０ｃを固定部としてもよい。
また、本実施形態では、切欠状収容部２１及び下端固定部材１０を、それぞれ横断面視して、厚さ方向一方側を小さい底辺とした略台形状とした例を示しているが、この態様に限定されない。例えば、下端固定部材１０を横断面視して略凸字形状とし、切欠状収容部２１をこの下端固定部材１０の形状に応じた形状としてもよい。これら切欠状収容部２１と下端固定部材１０とは、切欠状収容部２１に下端固定部材１０を収容させた状態で、下端固定部材１０の側板２０の板厚方向に沿う移動を防止するような形状であれば、その他、種々の形状とされたものとしてもよい。
【００３８】
また、本実施形態では、左右の側板２０，２０間に棚板６を架け渡した収納装置７を例示しているが、このような態様に代えて、ハンガー等が掛けられるパイプ等の吊下棒状体を左右の側板２０，２０間に架け渡すようにしてもよい。この場合は、側板２０の上端部を天井３等に固定したり、側板２０の後端部を壁４等に固定するようにしてもよい。
また、天井３にまで至る高さ寸法とされた収納装置７（左右の側板２０，２０）を例示しているが、天井３との間に空間を設けるようにしてもよく、また、収納装置７と壁４との間に空間を設けるようにしてもよい。
また、本実施形態に係る縦板下端固定構造１によって固定される縦板としては、上記したような収納装置７を構成する上下に延びる左右の側板２０，２０に限定されず、住居等の建物内のクローゼット等の収納空間の奥側壁に沿うように上下に延びるように配設された縦仕切板等としてもよい。
【符号の説明】
【００３９】
１              縦板下端固定構造
１０            下端固定部材
１１            凹所
１２            床側底面部（固定部）
１３            止具挿通孔
１４            カバー
２０            側板（縦板）
２１            切欠状収容部
２              床
５              止具
【図１】
2014031666.tif 000003
【図２】
2014031666.tif 000004
【図３】
2014031666.tif 000005
【図４】
2014031666.tif 000006